(57)【要約】  通信システム（１）は、複数のセル（Ｃ２０）のそれぞれに対応する基地局（２０）及び移動局（３０）を有する。セル（Ｃ２０）は異なる種類の同期信号が割り当てられた複数の第１グループに振り分けられる。基地局（２０）は、自局が属する第１グループに割り当てられた同期信号を含み、同期信号に対応し第１グループ毎に異なる、時間及び周波数によって規定される送信資源を用いてセル（Ｃ２０）の識別情報を通知するフレームを送信する送信部を備える。移動局（３０）は、受信フレームから同期信号を検出する検出部と、前記検出部により検出された前記同期信号に対応する前記受信フレーム中の前記送信資源を特定し、前記受信フレーム中の特定した前記送信資源から前記識別情報を取得し前記セルを特定するセル特定部とを備える。
2014162568.tif 000002
【特許請求の範囲】
【請求項１】
複数のセルのそれぞれに対応する基地局及び移動局を有する通信システムであって、
前記セルは異なる種類の同期信号が割り当てられた複数の第１グループに振り分けられ、
前記基地局は、
自局が属する前記第１グループに割り当てられた前記同期信号を含み、前記同期信号に対応し前記第１グループ毎に異なる、時間及び周波数によって規定される送信資源を用いて前記セルの識別情報を通知するフレームを送信する送信部を備え、
前記移動局は、
受信フレームから同期信号を検出する検出部と、
前記検出部により検出された前記同期信号に対応する前記受信フレーム中の前記送信資源を特定し、前記受信フレーム中の特定した前記送信資源から前記識別情報を取得し前記セルを特定するセル特定部とを備えた
ことを特徴とする移動通信システム。
【請求項２】
前記基地局は、自局が属する前記第１グループに割り当てられた前記同期信号を１つの同期用サブフレーム内に複数配置する同期信号配置部をさらに備えたことを特徴とする請求項１に記載の移動通信システム。
【請求項３】
前記送信部は、前記フレームにおける前記第１グループ毎に送信タイミングが重ならない前記送信資源を用いて前記識別情報を送信することを特徴とする請求項１に記載の移動通信システム。
【請求項４】
前記送信部は、前記フレームにおける前記第１グループ毎に周波数帯が重ならない前記送信資源を用いて前記識別情報を送信することを特徴とする請求項１に記載の移動通信システム。
【請求項５】
前記送信部は、前記フレームにおける自局の前記第１グループ以外の第１グループに属する基地局が使用する前記送信資源を無送信領域とすることを特徴とする請求項１に記載の移動通信システム。
【請求項６】
前記送信部は、前記識別情報の送信において、前記第１グループ毎に異なるスクランブルを適用することを特徴とする請求項１に記載の移動通信システム。
【請求項７】
前記第１グループは、複数の第２グループに分けられ、
前記送信部は、前記第２グループ毎に前記フレームを送信するタイミングを異ならせ、前記第２グループ間で、前記識別情報を送信する前記送信資源を異ならせる
ことを特徴とする請求項１に記載の移動通信システム。
【請求項８】
複数のセルのそれぞれに対応する基地局であって、
前記セルは、異なる種類の同期信号が割り当てられた複数のグループに振り分けられ、
自局が属する前記グループに割り当てられた前記同期信号を含むフレームを送信し、且つ、前記フレーム中の前記同期信号に対応する前記グループ毎に異なる、時間と周波数とによって規定される送信資源を用いて自局の識別情報を移動局に対して送信する送信部
を備えたことを特徴とする基地局。
【請求項９】
異なる種類の同期信号が割り当てられた複数の第１グループに振り分けられた複数のセルのそれぞれに対応し、前記第１グループに割り当てられた前記同期信号を含み、前記同期信号に対応し前記第１グループ毎に異なる、時間及び周波数によって規定される送信資源を用いて前記セルの識別情報を通知するフレームを送信する基地局から受信した受信フレームから同期信号を検出する検出部と、
前記検出部により検出された前記同期信号に対応する前記受信フレーム中の前記送信資源を特定し、前記受信フレーム中の特定した前記送信資源から前記識別情報を取得し前記セルを特定するセル特定部と
を備えたことを特徴とする移動局。
【請求項１０】
複数のセルのそれぞれに対応する基地局及び移動局を有する通信システムにおけるセル検出方法であって、
前記セルは異なる種類の同期信号が割り当てられた複数の第１グループに振り分けられ、
前記基地局は、
自局が属する前記第１グループに割り当てられた前記同期信号を含み、且つ、前記フレーム中の前記同期信号に対応し前記第１グループ毎に異なる、時間と周波数とによって規定される送信資源を用いて前記セルの識別情報を通知するフレームを送信し、
前記移動局は、
受信フレームから同期信号を検出し、
検出した前記同期信号に対応する前記受信フレーム中の前記送信資源を特定し、
前記受信フレーム中の特定した前記送信資源から前記識別情報を取得し前記セルを特定する
ことを特徴とするセル検出方法。
【請求項１１】
第１セルに対応する第１基地局、前記第１セルに含まれる通信エリアを有する複数の第２セルのそれぞれに対応する第２基地局及び移動局を有する通信システムであって、
前記第２セルは異なる種類の同期信号が割り当てられた複数の第１グループに振り分けられ、
前記第２基地局は、
自局が属する前記第１グループに割り当てられた前記同期信号を含むフレームを送信し、且つ、前記同期信号に対応し前記第１グループ毎に異なる、時間と周波数とによって規定される送信資源を用いて前記第２セルの識別情報を通知するフレームを送信する送信部を備え、
前記移動局は、
受信フレームから同期信号を検出する検出部と、
前記検出部により検出された前記同期信号に対応する前記受信フレーム中の前記送信資源を特定し、前記受信フレーム中の特定した前記送信資源から前記識別情報を取得し前記セルを特定するセル特定部と、
前記セル特定部により特定された前記第２セルから送信された信号の受信電力を測定する測定部と、
前記測定部により測定された前記受信電力及び前記第２セルの識別情報を第１基地局に通知する通知部とを備え、
前記第１基地局は、
前記移動局から通知された受信電力及び前記第２セルの識別情報に基づいて、前記移動局が接続する前記第２セルを決定する決定部を備えた
ことを特徴とする移動通信システム。
【発明の詳細な説明】
【技術分野】
【０００１】
本発明は、移動通信システム、移動局、基地局及びセル検出方法に関する。
【背景技術】
【０００２】
従来、移動通信システムにおける伝送容量（以下では、「システム容量」と呼ばれることがある）を増大させるために、様々な工夫がなされている。例えば、３ＧＰＰ  ＬＴＥ（3rd  Generation  Partnership  Project  Radio  Access  Network  Long  Term  Evolution）では、「マクロセル」の他に「小セル」を活用してシステム容量を増大させる技術に関する議論が行われている。ここで、「セル」は、１つの基地局の「通信エリア」と「チャネル周波数」とに基づいて規定される。「通信エリア」とは、基地局から送信された電波が到達するエリア（以下では、「射程エリア」と呼ばれることがある）の全体でもよいし、射程エリアが分割された分割エリア（所謂、セクタ）であってもよい。また、「チャネル周波数」とは、基地局が通信に使用する周波数の一単位であり、中心周波数と帯域幅とに基づいて規定される。また、チャネル周波数は、システム全体に割り当てられている「オペレーティング帯域」の一部である。そして、「マクロセル」は、高い送信電力で送信可能な基地局、つまり射程エリアの大きい基地局のセルである。また、「小セル」は、低い送信電力で送信する基地局、つまり射程エリアの小さい基地局のセルである。【０００３】
３ＧＰＰ  ＬＴＥでは、移動通信システムの構成として、例えば、マクロセルの中に複数の小セルが含まれる第１構成や、マクロセルと関係なく複数の小セルが配置される第２構成等が検討されている。特に、第１構成がメインに検討されている。また、第１構成を移動通信システムがとる場合、移動局がマクロセル及び小セルに同時に接続する技術が検討されている。【０００４】
ところで、移動局が基地局と通信を始めるために、移動局は、接続対象のセルの検出処理を行っている。従来、移動局は、移動局が在圏しているマクロセルで送信された同期信号（ＰＳＳ：Primary  Synchronisation  Signal，ＳＳＳ：Secondary  Synchronisation  Signal）を用いて、そのマクロセルを特定している。このマクロセルの特定は、同期信号がマクロセルのＩＤ（identification）であるＰＣＩ（Physical  Cell  Identification）と１対１で対応しているので可能となっている。具体的には、ＰＳＳには、３種類の符号系列が用意され、ＳＳＳには、１６８種類の符号系列が用意されている。従って、ＰＳＳとＳＳＳとの組合せにより、５０４通りのＰＣＩを表すことができる。そして、移動局は、まず、受信したＰＳＳを特定し次に受信したＳＳＳを特定し、特定したＰＳＳとＳＳＳとの組合せからＰＣＩを特定することにより、効率的なセル検出を行うことができる。【０００５】
しかし、移動通信システムにおいてマクロセルの他に多くの小セルが導入されると、まず、現在のＰＣＩの個数に限定すれば、ＰＣＩが不足してしまう。一方、ＰＣＩの数を増やすとセル検出の対象が増加するため、セル検出に掛かる移動局の負担が増加してしまう。１回の充電で移動局が稼働できる時間を長期化したいニーズがあるため、セル検出処理の負荷を低減し、移動局の消費電力を低下させることが望まれる。【０００６】
そして、ＬＴＥでは、小セル検出の効率化を図ることを目的とする提案がなされている。【０００７】
例えば、第１の提案では、マクロセルの基地局は、移動局に対して近傍に位置する小セルに関する情報（キャリア周波数、セルＩＤ、位置情報等）をホワイトリストとして通知し、移動局は、受け取ったホワイトリストを用いて小セルの検出を行う。また、第２の提案では、移動局はまず自局の近傍の小セルに関する情報をマクロセルの基地局へ通知することにより、マクロセルの基地局が移動局へ測定指示をかけるタイミングの最適化を図っている。また、第３の提案では、新たに、小セル検出用の信号（ＤＳ：discovery  signal）を導入して、移動局によるセル検出の高速化と移動局の消費電力の削減を図っている。
【先行技術文献】
【非特許文献】
【０００８】
【非特許文献１】3GPP  TSG-RAN  WG2  Meeting,  R2-114951,  “Discussion  on  enhancement  of  small  cell  discovery,”  October  2011
【非特許文献２】3GPP  TSG-RAN2  meeting,  R2-115228,  “Discussion  on  small  cell  discovery  for  HetNet  mobility,”  October  2011
【非特許文献３】3GPP  TSG  RAN  WG1  Meeting,  R1-120398,  “Enhanced  Cell  Identification  for  Additional  Carrier  Type,”  February  2012
【発明の概要】
【発明が解決しようとする課題】
【０００９】
しかしながら、マクロセル内の小セルの数が多くなると移動局の近傍の小セルの数も多くなり、従来の小セル検出方法では、移動局による小セル検出の負荷を低減することが困難である。また、単に新たな小セル検出用の信号を導入するだけでは、小セルを一意に特定することは難しく、小セル検出の負荷を低減することは困難である。【００１０】
開示の技術は、上記に鑑みてなされたものであって、接続対象のセルを効率良く検出する移動通信システム、移動局、基地局及びセル検出方法を提供することを目的とする。
【課題を解決するための手段】
【００１１】
本願の開示する移動通信システム、移動局、基地局及びセル検出方法は、一つの態様において、移動通信システムは、複数のセルのそれぞれに対応する基地局及び移動局を有する。前記セルは異なる種類の同期信号が割り当てられた複数の第１グループに振り分けられる。前記基地局は、自局が属する前記第１グループに割り当てられた前記同期信号を含み、前記同期信号に対応し前記第１グループ毎に異なる、時間及び周波数によって規定される送信資源を用いて前記セルの識別情報を通知するフレームを送信する送信部を備える。前記移動局は、受信フレームから同期信号を検出する検出部と、前記検出部により検出された前記同期信号に対応する前記受信フレーム中の前記送信資源を特定し、前記受信フレーム中の特定した前記送信資源から前記識別情報を取得し前記セルを特定するセル特定部とを備える。
【発明の効果】
【００１２】
本願の開示する移動通信システム、移動局、基地局及びセル検出方法の一つの態様によれば、接続対象のセルを効率良く検出することができるという効果を奏する。
【図面の簡単な説明】
【００１３】
【図１】図１は、実施例１の移動通信システムの一例を示す図である。
【図２】図２は、実施例１におけるセルグループの割り当てを説明するための図である。
【図３】図３は、実施例１の小セルに対応する基地局の一例を示す図である。
【図４】図４は、実施例１に係る小セルの基地局装置によるＰＳＳ及びＳＳＳのマッピングを説明するための図である。
【図５】図５は、実施例１に係る各セルグループから送信されるフレームを説明するための図である。
【図６】図６は、実施例１のマクロセルに対応する基地局の一例を示す図である。
【図７】図７は、実施例１の移動局の一例を示す図である。
【図８】図８は、実施例１の移動通信システムの処理動作の一例を示すシーケンス図である。
【図９】図９は、セルグループのグループ分けの変形例を示す図である。
【図１０】図１０は、実施例２に係る各セルグループから送信されるフレームを説明するための図である。
【図１１】図１１は、実施例３に係る各セルグループから送信されるフレームを説明するための図である。
【図１２】図１２は、マクロセルに対応する基地局のハードウェア構成例を示す図である。
【図１３】図１３は、小セルに対応する基地局のハードウェア構成例を示す図である。
【図１４】図１４は、移動局のハードウェア構成例を示す図である。
【発明を実施するための形態】
【００１４】
以下に、本願の開示する移動通信システム、移動局、基地局及びセル検出方法の実施例を図面に基づいて詳細に説明する。なお、以下の実施例により本願の開示する移動通信システム、移動局、基地局及びセル検出方法が限定されるものではない。また、実施形態において同一の機能を有する構成には同一の符号を付し、重複する説明は省略される。なお、以下の説明では、ＬＴＥシステム又は当該ＬＴＥシステムの発展形であるＬＴＥ−Ａｄｖａｎｃｅｄシステムを例にとり説明することがあるが、これに限定されるものではない。
【実施例１】
【００１５】
［移動通信システムの概要］
図１は、実施例１の移動通信システムの一例を示す図である。図１において、移動通信システム１は、基地局１０と、複数の基地局２０及び移動局３０とを有する。図１において、マクロセルＣ１０は、基地局１０の射程エリアと第１のチャネル周波数によって規定される。また、図１には、一例として、２つのクラスタＣＬ４１及びＣＬ４２が示されている。クラスタＣＬ４１及びＣＬ４２のそれぞれは、複数の小セルＣ２０を含んでいる。各小セルＣ２０は、１つの基地局２０の射程エリアと第２のチャネル周波数によって規定される。なお、図１では、一例として、クラスタＣＬ４１及びＣＬ４２と、マクロセルＣ１０とがオーバラップするケースが示されている。また、第１のチャネル周波数と第２のチャネル周波数とは、同じでもよいし、異なっていてもよい。また、図１に示した基地局１０、基地局２０及び移動局３０の数は一例であり、これに限定されるものではない。すなわち、移動通信システム１は、複数のマクロセルＣ１０と、各マクロセルＣ１０にオーバラップするクラスタＣＬ４０とを有していてもよい。また、以下では、クラスタＣＬ４１とクラスタＣＬ４２とを特に区別しない場合には、総称して、クラスタＣＬ４０と呼ぶことがある。このクラスタＣＬ４０が、「第２グループ」の一例にあたる。【００１６】
図１において、クラスタＣＬ４０は、複数の小セルＣ２０を有している。各マクロセルＣ１０に対しては、異なるＰＣＩが割り当てられている。【００１７】
そして、同じクラスタに含まれる小セルＣ２０は、３つのセルグループに分けられる。ここで、各セルグループに属する小セルＣ２０同士の距離が大きくなるように選択されている。小セルＣ２０の間の距離を大きくすることにより、同一のセルグループに属する小セルＣ２０の間における干渉の影響を低減することができる。例えば、図１に示すように、ＣＬ４０の中には、無地で示される小セルＣ２０のセルグループ、斜線で示される小セルＣ２０のセルグループ及びドットで示される小セルＣ２０のセルグループといった３つのグループに分けられる。【００１８】
そして、各セルグループには、それぞれ異なるＰＳＳが割り当てられている。各セルグループに含まれる小セルＣ２０は、属しているセルグループに割り当てられたＰＳＳを有している。また、３つのセルグループに対しては、１６８種類のうちの１つのＳＳＳが割り当てられている。すなわち、各小セルＣ２０には、それぞれが属するセルグループに割り当てられたＰＳＳ及びＳＳＳとの組合せで表されるセルＩＤであるＰＣＩが割り当てられている。【００１９】
図２は、実施例１におけるセルグループの割り当てを説明するための図である。図２に示すように本実施例では、クラスタＣＬ４１及びＣＬ４２のいずれも３つのセルグループに分割されている。そして、各クラスタＣＬ４０の各セルグループには、異なるＰＳＳが割り当てられている。例えば、本実施例では、セルグループのグループ１にＰＳＳとして「０」が割り当てられている。また、セルグループのグループ２にＰＳＳとして「１」が割り当てられている。また、セルグループのグループ３にＰＳＳとして「２」が割り当てられている。そして、クラスタＣＬ４１とクラスタＣＬ４２との間では、同じ番号のグループには同じＰＳＳが割り当てられている。【００２０】
また、各基地局２０には、一意に識別可能な識別情報が割り当てられている。各基地局２０を一意に識別可能な識別情報は、各基地局２０に対応する小セル２０Ｃも一意に識別可能である。すなわち、各基地局２０を一意に識別可能な識別情報は、小セルＣ２０を一意に識別可能な識別情報といえる。小セルＣ２０の識別情報としては、ＥＣＧＩ（E-UTRAN  Cell  Global  Identifier）などを用いることができる。本実施例では、ＥＣＧＩはサイズが５２ｂｉｔであり小セルＣ２０を識別するには大きすぎるので、小セルＣ２０には、小セルＣ２０の識別情報としてＥＧＣＩの一部（Truncated  ECGI：Ｔ−ＥＣＧＩ）が割り当てられている。【００２１】
ここで、小セルＣ２０の基地局２０は、自局に割り当てられたセルＩＤに固有の同期信号等を送信する。この同期信号には、ＰＳＳ及びＳＳＳが含まれている。この時、基地局２０は、同期信号を送信するフレーム中のＰＳＳに対応するサブフレームを用いてＴ−ＥＣＧＩの情報を送信する。【００２２】
移動局３０は、基地局２０が送信した同期信号から小セルＣ２０のＰＳＳを検出し、５ｍｓ周期のスロットタイミング同期の確立を行う。また、移動局３０は、検出したＰＳＳにおいてＰＳＳシーケンスの検出を行う。【００２３】
移動局３０は、検出したＰＳＳからＴ−ＥＣＧＩが格納されているサブフレームの位置を取得する。その後、移動局３０は、指定されたサブフレームからＴ−ＥＣＧＩを取得する。移動局３０は、ＥＧＣＩを取得することで、同期信号の送信した小セルＣ２０を一意に特定することができる。そして、移動局３０は、ＥＧＣＩで特定される小セルＣ２０の情報を基地局１０へ送信する。【００２４】
また、移動局３０は、ＳＳＳを検出することによりＰＣＩを検出する。そして、移動局３０は、１０ｍｓ周期のフレームタイミングの同期確立及びＣＰ（Cyclic  Prefix）長の検出を行う。【００２５】
基地局１０は、移動局３０から通知された受信電力及びＥＧＣＩで特定される小セルの情報を用いて、移動局３０の接続先となる小セルＣ２０を決定する。【００２６】
以上に説明したＴ−ＥＣＧＩを用いた小セル検出方法が実現されることにより、接続対象セルの決定を効率化できる。【００２７】
［基地局２０の構成例］
図３は、実施例１の小セルに対応する基地局の一例を示す図である。図３において、基地局２０は、制御部２１及び無線部２２を有する。制御部２１は、パケット生成部２０１と、ＭＡＣ（Media  Access  Control）制御部２０２、ＭＡＣスケジューリング部２０３、符号化部２０４、変調部２０５、多重部２０６及びＩＦＦＴ（Inverse  Fast  Fourier  Transform）部２０７を有する。また、制御部２１は、無線リソース制御部２０８、ＦＦＴ（Fast  Fourier  Transform）部２０９、復調部２１０、復号部２１１及び分離部２１２を有する。無線部２２は、送信無線部２２１及び受信無線部２２２を有する。  【００２８】
パケット生成部２０１は、移動局３０宛ての送信データ、つまりユーザデータを受け取り、受け取ったユーザデータを用いて送信パケットを生成する。そして、パケット生成部２０１は、生成した送信パケットをＭＡＣスケジューリング部２０３へ出力する。【００２９】
ＭＡＣ制御部２０２は、移動局３０から報告されるチャネル品質情報（ＣＱＩ：Channel  Quality  Indicator）に基づいて、自局と移動局３０との間の通信に用いられるリソースを割り当てる。このリソースは、例えば、時間と周波数とによって規定される。そして、ＭＡＣ制御部２０２は、割り当てたリソース（以下では、「割り当てリソース」と呼ばれることがある）に関する情報を含む個別制御情報を、ＭＡＣスケジューリング部２０３及び多重部２０６へ出力する。【００３０】
ＭＡＣスケジューリング部２０３は、パケット生成部２０１から受け取った移動局３０宛てのパケットを、ＭＡＣ制御部２０２でその移動局３０に割り当てられた時間に対応するタイミングで符号化部２０４へ出力する。なお、ＭＡＣスケジューリング部２０３は、パケットを所定のデータサイズのデータユニットに分割し、データユニットを符号化部２０４へ出力してもよい。【００３１】
符号化部２０４は、ＭＡＣスケジューリング部２０３から受け取るパケットに対して符号化処理を行い、符号化処理後のパケットを変調部２０５へ出力する。【００３２】
変調部２０５は、符号化部２０４から受け取る符号化処理後のパケットを変調し、変調後のパケットを多重部２０６へ出力する。【００３３】
多重部２０６は、入力信号を所定のリソースにマッピングして多重し、多重信号をＩＦＦＴ部２０７へ出力する。【００３４】
具体的には、多重部２０６は、ＭＡＣ制御部２０２から個別制御情報を受け取り、下り回線制御チャネル（例えば、ＰＤＣＣＨ：Physical  Downlink  Control  Channel）に割り当てられたリソース領域にマッピングする。【００３５】
また、多重部２０６は、変調部２０５からパケットを受け取り、上記の個別制御情報が示す下り回線の割り当てリソースにマッピングする。【００３６】
また、多重部２０６は、例えばクラスタＣＬ４０内で共通の共通参照信号（ＣＲＳ：Common  Reference  Signal）を受け取る。そして、多重部２０６は、共通参照信号を所定のリソースにマッピングする。また、多重部２０６は、ＣＲＳに加えて、チャネル品質測定用の参照信号であるＣＳＩ−ＲＳ（Channel  State  Information-Reference  Signal）を受け取る。そして、多重部２０６は、ＣＳＩ−ＲＳを所定のリソースにマッピングする。【００３７】
さらに、多重部２０６は、自局に割り当てられたＰＳＳ及びＳＳＳの情報を受け取る。そして、多重部２０６は、ＰＳＳ及びＳＳＳを所定のリソースの予め決められた複数の場所にマッピングする。【００３８】
図４は、実施例１に係る小セルの基地局装置によるＰＳＳ及びＳＳＳのマッピングを説明するための図である。図４のフレーム５００は、横方向で時間リソースを表し、縦方向で周波数リソースを表している。【００３９】
フレーム５００は、ＰＢＣＨ（Physical  Broadcast  CHannel）同期信号を送信するサブフレームを含む。ＰＢＣＨは、基地局２０が送信する報知情報リソースである。多重部２０６は、フレーム５００を用いて、ＰＳＳ及びＳＳＳなどを含む同期信号を送信する。【００４０】
ＰＢＣＨは、中心周波数を中心として周波数方向の６ＲＢｓを用いて送信される。リソースブロック５１０は、ＰＢＣＨを送信する１つのサブフレームを表している。【００４１】
多重部２０６は、リソースブロック５１０の領域５３０で表される位置にＰＢＣＨをマッピングする。また、多重部２０６は、リソースブロック５１０の領域５４０で表される位置に共通参照信号及び参照信号をマッピングする。【００４２】
また、多重部２０６は、リソースブロック５１０の列５２１にＰＳＳをマッピングし、列５２２にＳＳＳをマッピングする。ここで、従来は、列５２１及び列５２２にのみＰＰＳ及びＳＳＳをマッピングしていた。これに対して、本実施例では、多重部２０６は、列５２３及び列５２５にもＰＳＳをマッピングする。また、多重部２０６は、列５２４及び列５２６にもＳＳＳをマッピングする。【００４３】
多重部２０６は、ＰＢＣＨを送信するサブフレームの中の時間方向の３つの位置のリソースをＰＳＳ及びＳＳＳに割り当てることで、サブフレームにおけるＰＳＳ及びＳＳＳの信号密度を向上させる。このように、サブフレーム中のＰＳＳ及びＳＳＳの密度を高くすることで、多重部２０６は、ＰＳＳ及びＳＳＳの移動局３０による検出精度を向上させることができる。【００４４】
従来、移動局３０は、ＰＳＳ及びＳＳＳの信号強度が弱いために受信したＰＳＳ及びＳＳＳを平均化して検出精度を向上させていた。そのため、移動局は、所定の数のＰＳＳ及びＳＳＳを受信するまで、ＰＳＳ及びＳＳＳの検出を完了できなかった。これに対して、本実施例では、１つのフレームにおけるＰＳＳ及びＳＳＳの信号強度を高くしたため、移動局は、平均化を行わずにＰＳＳ及びＳＳＳの検出ができ、同期補足とＰＣＩの検出を高速に行うことができる。【００４５】
さらに、多重部２０６は、自局のＰＳＳに応じた１フレーム中のサブフレームの位置を記憶している。そして、多重部２０６は、自局のＰＳＳに応じた位置のサブフレームにＴ−ＥＣＧＩの情報を格納する。【００４６】
図５は、実施例１に係る各セルグループから送信されるフレームを説明するための図である。フレーム５４１は、クラスタＣＬ４１のＰＳＳ＝０のセルグループから送信されるフレームである。また、フレーム５４２は、クラスタＣＬ４１のＰＳＳ＝１のセルグループから送信されるフレームである。また、フレーム５４３は、クラスタＣＬ４１のＰＳＳ＝２のセルグループから送信されるフレームである。さらに、フレーム５５１は、クラスタＣＬ４２のＰＳＳ＝０のセルグループから送信されるフレームである。また、フレーム５５２は、クラスタＣＬ４２のＰＳＳ＝１のセルグループから送信されるフレームである。また、フレーム５５３は、クラスタＣＬ４２のＰＳＳ＝２のセルグループから送信されるフレームである。【００４７】
図５に示すように、フレーム５４１〜５４３のそれぞれにおけるＴ−ＥＣＧＩを格納するサブフレームの位置は、時間方向に重ならないように配置されている。フレーム５４１では、ＰＳＳ及びＳＳＳを送信したサブフレームの次のサブフレーム５４４にＴ−ＥＣＧＩの情報が格納されている。フレーム５４２では、ＰＳＳ及びＳＳＳを送信したサブフレームから２つ後のサブフレーム５４５にＴ−ＥＣＧＩの情報が格納されている。フレーム５４３では、ＰＳＳ及びＳＳＳを送信したサブフレームから３つ後のサブフレーム５４６にＴ−ＥＣＧＩの情報が格納されている。さらに、他のグループからＴ−ＥＣＧＩの情報を格納したサブフレームが送信されているタイミングにおいて、サブフレーム送信は、ミューティングされている。【００４８】
サブフレーム５４４〜５４６は、同じタイミングで出力されることがないようにサブフレームの位置が決定されており、時間的に重ならない。また、サブフレーム５４４〜５４６が送られているタイミングでは、他のグループのフレームがミューティングされている。そのため、各セルグループ間のＴ−ＥＣＧＩの情報を格納したサブフレーム同士による干渉を低減することができ、移動局３０は、Ｔ−ＥＣＧＩの情報を確実に取得できる。【００４９】
図２に戻って説明を続ける。無線リソース制御部２０８は、バックボーンのネットワークに接続されている。無線リソース制御部２０８は、ＰＢＣＨ、ＰＳＳ及びＳＳＳを含むサブフレームを送信するための基準となるタイミングをバックボーンのネットワークから取得する。この基準となるタイミングは、マクロセルＣ１０の基地局１０の動作を基準としたタイミングである。【００５０】
そして、無線リソース制御部２０８は、図２の一点鎖線の枠内にある各部に対してＰＢＣＨ、ＰＳＳ及びＳＳＳを含むサブフレームを送信するタイミングを出力する。図２の一点鎖線の枠内にある各部は、無線リソース制御部２０８に指定されたタイミングでＰＢＣＨ、ＰＳＳ及びＳＳＳを含むサブフレームを送信するようにタイミングを調整する。【００５１】
例えば、図５の場合で説明する。クラスタＣＬ４１に属する各小セルＣ２０の無線リソース制御部２０８は、バックボーンのネットワークから基準となるタイミングを取得し、サブフレームの送信タイミング５４７を求める。そして、クラスタＣＬ４１に属する基地局２０の無線リソース制御部２０８は、送信タイミング５４７でＰＢＣＨ、ＰＳＳ及びＳＳＳを含むサブフレームの送信を開始する。【００５２】
また、クラスタＣＬ４２に属する各基地局２０の無線リソース制御部２０８は、バックボーンのネットワークから基準となるタイミングを取得し、サブフレームの送信タイミング５４７を求める。さらに、クラスタＣＬ４２に属する各基地局２０の無線リソース制御部２０８は、予め決められている時間Ｔを送信タイミングに加え、送信タイミング５５４を求める。Ｔは、クラスタＣＬ４２の基地局２０によるＴ−ＥＣＧＩの情報を格納したサブフレームの送信タイミングが、クラスタＣＬ４１の基地局２０によるＴ−ＥＣＧＩの情報を格納したサブフレームの送信タイミングと重ならないようにするための時間である。そして、クラスタＣＬ４２に属する各基地局２０の無線リソース制御部２０８は、送信タイミング５５４でＰＢＣＨ、ＰＳＳ及びＳＳＳを含むサブフレームの送信を開始する。【００５３】
このように、クラスタＣＬ４０毎にＴ−ＥＣＧＩの情報を格納したサブフレームを送信する時間をずらすことで、クラスタＣＬ４０間でのＴ−ＥＣＧＩの情報を格納したサブフレーム同士による干渉を低減することができる。これにより、移動局３０は、Ｔ−ＥＣＧＩの情報を確実に取得できる。【００５４】
ＩＦＦＴ部２０７は、多重部２０６から受け取った多重信号に対して、逆高速フーリエ変換処理を施すことにより、ＯＦＤＭ（Orthogonal  Frequency  Division  Multiplexing）信号を形成し、形成したＯＦＤＭ信号を送信無線部２２１へ出力する。なお、ＩＦＦＴ部２０７は、シンボル毎にＣＰ（Cyclic  Prefix）を付加する処理を行ってもよい。ここで、パケット生成部２０１、ＭＡＣスケジューリング部２０３、符号化部２０４、変調部２０５、多重部２０６及びＩＦＦＴ部２０７は、送信信号の形成部として機能する。【００５５】
送信無線部２２１は、ＩＦＦＴ部２０７から受け取るＯＦＤＭ信号に対して所定の送信無線処理、つまりディジタルアナログ変換、アップコンバート等を施して無線信号を形成し、形成した無線信号をアンテナを介して送信する。【００５６】
受信無線部２２２は、アンテナを介して受信した受信信号に対して所定の受信無線処理、つまりダウンコンバート、アナログディジタル変換等を施し、受信無線処理後の受信信号をＦＦＴ部２０９へ出力する。【００５７】
ＦＦＴ部２０９は、受信無線部２２２から受け取った受信信号に対して高速フーリエ変換処理を施し、高速フーリエ変換処理後の受信信号を復調部２１０へ出力する。【００５８】
復調部２１０は、ＦＦＴ部２０９から受け取った受信信号を復調し、復調後の受信信号を復号部２１１へ出力する。【００５９】
復号部２１１は、復調部２１０から受け取った受信信号を復号し、復号後の受信信号を分離部２１２へ出力する。【００６０】
分離部２１２は、復号部２１１から受け取った受信信号から制御情報及び受信データを抽出し、抽出した制御情報をＭＡＣ制御部２０２へ出力し、抽出した受信データを上位レイヤの機能部へ出力する。ここで、ＭＡＣ制御部２０２へ出力される制御情報には、例えば、基地局２０から送信された参照信号を受信した移動局３０が参照信号に基づいて測定したＣＱＩが含まれている。ＭＡＣ制御部２０２は、このＣＱＩに基づいて、移動局３０に対するリソース割り当てを行う。【００６１】
［基地局１０の構成例］
図６は、実施例１のマクロセルに対応する基地局の一例を示す図である。図６において、基地局１０は、制御部１１及び無線部１２を有する。制御部１１は、パケット生成部１０１、ＭＡＣ制御部１０２、ＭＡＣスケジューリング部１０３、符号化部１０４、変調部１０５、多重部１０６及びＩＦＦＴ部１０７を有する。また、制御部１１は、無線リソース制御部１０８、ＦＦＴ部１０９、復調部１１０、復号部１１１及び分離部１１２を有する。また、無線部１２は、送信無線部１２１及び受信無線部１２２を有する。【００６２】
受信無線部１２２は、アンテナを介して受信した受信信号に対して所定の受信無線処理、つまりダウンコンバート、アナログディジタル変換等を施し、受信無線処理後の受信信号をＦＦＴ部１０９へ出力する。【００６３】
ＦＦＴ部１０９は、受信無線部１２２から受け取った受信信号に対して高速フーリエ変換処理を施し、高速フーリエ変換処理後の受信信号を復調部１１０へ出力する。【００６４】
復調部１１０は、ＦＦＴ部１０９から受け取った受信信号を復調し、復調後の受信信号を復号部１１１へ出力する。【００６５】
復号部１１１は、復調部１１０から受け取った受信信号を復号し、復号後の受信信号を分離部１１２へ出力する。【００６６】
分離部１１２は、復号部１１１から受け取った受信信号から制御情報及び受信データを抽出し、抽出した制御情報を無線リソース制御部１０８及びＭＡＣ制御部１０２へ出力し、抽出した受信データを上位レイヤの機能部へ出力する。ここで、無線リソース制御部１０８へ出力される制御情報には、共通参照信号の受信電力（ＲＳＲＰ：Reference  Signal  Received  Power）に関する情報及びＴ−ＥＧＣＩの情報が含まれる場合がある。具体的には、無線リソース制御部１０８へ出力される制御情報には、第１に、共通参照信号の移動局３０における受信電力に関する情報が含まれる場合がある。第２に、無線リソース制御部１０８へ出力される制御情報には、自局が移動局３０に対して通知した共通参照信号についての受信電力に関する情報が含まれる場合がある。一方、ＭＡＣ制御部１０２へ出力される制御情報には、自局が送信した共通参照信号について移動局３０が測定した受信電力に関する情報が含まれる場合がある。すなわち、ＭＡＣ制御部１０２へ出力される制御情報には、例えば、移動局３０から報告されるチャネル品質情報（ＣＱＩ）が含まれる場合がある。【００６７】
無線リソース制御部１０８は、分離部１１２から受け取った制御情報に基づいて無線リソース制御情報（つまり、ＲＲＣ（Radio  Resource  Control）制御情報）を形成し、形成した無線リソース制御情報をパケット生成部１０１へ出力する。【００６８】
具体的には、無線リソース制御部１０８は、移動局３０が測定した共通参照信号についての受信電力に関する情報及びＴ−ＥＣＧＩの情報を受信する。そして、無線リソース制御部１０８は、Ｔ−ＥＣＧＩの情報を用いて受信電力を送信した移動局３０の接続先となる小セルＣ２０を特定する。次に、無線リソース制御部１０８は、特定した小セルＣ２０の情報を無線リソース制御情報に含めてパケット生成部１０１へ出力する。【００６９】
パケット生成部１０１は、移動局３０宛ての送信データ、つまりユーザデータ、及び、無線リソース制御部１０８から移動局３０宛ての無線リソース制御情報を受け取り、受け取ったユーザデータ及び無線リソース制御情報を用いて送信パケットを生成する。そして、パケット生成部１０１は、生成した送信パケットをＭＡＣスケジューリング部１０３へ出力する。【００７０】
ＭＡＣ制御部１０２は、移動局３０から報告されるチャネル品質情報（ＣＱＩ）に基づいて、自局と移動局３０との間の通信に用いられるリソースを割り当てる。このリソースは、例えば、時間と周波数とによって規定される。そして、ＭＡＣ制御部１０２は、割り当てリソースに関する情報を含む個別制御情報を、ＭＡＣスケジューリング部１０３及び多重部１０６へ出力する。【００７１】
ＭＡＣスケジューリング部１０３は、パケット生成部１０１から受け取った移動局３０宛てのパケットを、ＭＡＣ制御部１０２でその移動局３０に割り当てられた時間に対応するタイミングで符号化部１０４へ出力する。なお、ＭＡＣスケジューリング部１０３は、パケットを所定のデータサイズのデータユニットに分割し、データユニットを符号化部１０４へ出力してもよい。【００７２】
符号化部１０４は、ＭＡＣスケジューリング部１０３から受け取るパケットに対して符号化処理を行い、符号化処理後のパケットを変調部１０５へ出力する。【００７３】
変調部１０５は、符号化部１０４から受け取る符号化処理後のパケットを変調し、変調後のパケットを多重部１０６へ出力する。【００７４】
多重部１０６は、入力信号を所定のリソースにマッピングして多重し、多重信号をＩＦＦＴ部１０７へ出力する。【００７５】
具体的には、多重部１０６は、ＭＡＣ制御部１０２から個別制御情報を受け取り、下り回線制御チャネル（例えば、ＰＤＣＣＨ：Physical  Downlink  Control  Channel）に割り当てられたリソース領域にマッピングする。【００７６】
また、多重部１０６は、変調部１０５からパケットを受け取り、上記の個別制御情報が示す下り回線の割り当てリソースにマッピングする。【００７７】
また、多重部１０６は、マクロセルＣ１０で共通の共通参照信号（ＣＲＳ）及び同期信号を受け取る。そして、多重部１０６は、共通参照信号及び同期信号を所定のリソースにマッピングする。【００７８】
ＩＦＦＴ部１０７は、多重部１０６から受け取った多重信号に対して、逆高速フーリエ変換処理を施すことにより、ＯＦＤＭ（Orthogonal  Frequency  Division  Multiplexing）信号を形成し、形成したＯＦＤＭ信号を送信無線部１２１へ出力する。なお、ＩＦＦＴ部１０７は、シンボル毎にＣＰ（Cyclic  Prefix）を付加する処理を行ってもよい。ここで、パケット生成部１０１、ＭＡＣスケジューリング部１０３、符号化部１０４、変調部１０５、多重部１０６及びＩＦＦＴ部１０７は、送信信号の形成部として機能する。【００７９】
送信無線部１２１は、ＩＦＦＴ部１０７から受け取るＯＦＤＭ信号に対して所定の送信無線処理、つまりディジタルアナログ変換、アップコンバート等を施して無線信号を形成し、形成した無線信号をアンテナを介して送信する。【００８０】
［移動局３０の構成例］
図７は、実施例１の移動局の一例を示す図である。図７において、移動局３０は、制御部３１及び無線部３２を有する。制御部３１は、ＦＦＴ部３０１、制御チャネル復調部３０２、通信路状態（ＣＳ：Channel  State）測定部３０３、小セル識別情報検出部３０４、セルサーチ部３０５、復調部３０６、復号部３０７及び制御情報処理部３０８を有する。また、制御部３１は、データ処理部３０９、多重部３１０、シンボルマッピング部３１１、多重部３１２、ＦＦＴ部３１３、周波数マッピング部３１４及びＩＦＦＴ部３１５を有する。無線部３２は、受信無線部３２１及び送信無線部３２２を有する。【００８１】
受信無線部３２１は、アンテナを介して受信した受信信号に対して所定の受信無線処理、つまりダウンコンバート、アナログディジタル変換等を施す。そして、受信無線部３２１は、受信無線処理後の受信信号をＦＦＴ部３０１及びセルサーチ部３０５へ出力する。【００８２】
セルサーチ部３０５は、受信無線処理後の受信信号に含まれる同期信号に基づいて、当該同期信号に対応するＰＣＩを特定する。すなわち、セルサーチ部３０５は、自局が在圏している小セルＣ２０のＰＳＳ及びＳＳＳを検出する。そして、セルサーチ部３０５は、検出したＰＳＳの情報を小セル識別情報検出部３０４へ通知する。また、セルサーチ部３０５は、検出したＰＳＳ及びＳＳＳから小セルＣ２０のＰＣＩを特定する。そして、セルサーチ部３０５は、特定したＰＣＩを制御情報処理部３０８へ出力する。なお、特定されるセルＰＣＩの数は、１つの場合もあれば複数の場合もある。【００８３】
小セル識別情報検出部３０４は、Ｔ−ＥＣＧＩの情報が格納されているサブフレームの位置とＰＳＳの値とを対応させて記憶している。小セル識別情報検出部３０４は、セルサーチ部３０５から受信したＰＳＳの情報に対応するＴ−ＥＣＧＩの情報が格納されているサブフレームの位置を特定する。そして、小セル識別情報検出部３０４は、ＦＦＴ部３０１から受信したフレームの中のＴ−ＥＣＧＩの情報が格納されているサブフレームからＴ−ＥＣＧＩの情報を取得する。そして、小セル識別情報検出部３０４は、取得したＴ−ＥＧＣＩの情報を制御情報処理部３０８へ出力する。【００８４】
ＦＦＴ部３０１は、受信無線処理後の受信信号に対して高速フーリエ変換処理を施し、高速フーリエ変換処理後の受信信号を制御チャネル復調部３０２、通信路状態測定部３０３、小セル識別情報検出部３０４及び復調部３０６へ出力する。【００８５】
制御チャネル復調部３０２は、制御情報処理部３０８から無線ネットワーク一時識別子（ＲＮＴＩ：Radio  Network  Temporary  ID）を受け取り、ＦＦＴ部３０１から受け取る受信信号の内でＲＮＴＩの示すＰＤＣＣＨ領域のサーチスペースに対応する部分において、自局宛の制御情報をサーチする。そして、制御チャネル復調部３０２は、自局宛のリソース割り当て情報が見つかった場合、そのリソース割り当て情報を復調部３０６及び復号部３０７へ出力する。【００８６】
通信路状態測定部３０３は、ＦＦＴ部３０１から受け取る受信信号に含まれる共通参照信号の受信電力を測定し、測定した共通参照信号の受信電力値を制御情報処理部３０８へ出力する。すなわち、通信路状態測定部３０３は、自局が在圏しているマクロセルＣ１０又は小セルＣ２０で送信された共通参照信号の受信電力を測定する。【００８７】
制御情報処理部３０８は、復号部３０７から出力された受信データから、基地局１０から送信されたＲＮＴＩを抽出し、抽出したＲＮＴＩを制御チャネル復調部３０２へ出力する。【００８８】
制御情報処理部３０８は、小セル識別情報検出部３０４から受け取るＴ−ＥＣＧＩに対応する共通参照信号の受信電力値を通信路状態測定部３０３から受け取る。そして、制御情報処理部３０８は、受信した共通参照信号の受信電力値を多重部３１０へ出力する。これにより、制御情報処理部３０８は、Ｔ−ＥＣＧＩの情報及び共通参照信号の受信電力値を基地局１０へ送信する。なお、Ｔ−ＥＣＧＩの情報及び共通参照信号の受信電力値がそれぞれ複数在る場合には、制御情報処理部３０８は、複数の共通参照信号の受信電力値の内の最大値と当該最大値に対応するＴ−ＥＣＧＩを、基地局１０へ送信してもよい。また、制御情報処理部３０８は、小セル識別情報検出部３０４から受け取るＴ−ＥＣＧＩ及び通信路状態測定部３０３から受け取る共通参照信号の受信電力値を多重部３１０へ出力する。【００８９】
データ処理部３０９は、ユーザデータを多重部３１０へ出力する。【００９０】
多重部３１０は、データ処理部３０９から受け取るユーザデータ及び制御情報処理部３０８から受け取る各種情報を所定のリソースにマッピングすることにより多重信号を形成し、形成した多重信号をシンボルマッピング部３１１へ出力する。【００９１】
シンボルマッピング部３１１は、多重部３１０から受け取る多重信号をシンボルにマッピングし、得られた変調信号を多重部３１２へ出力する。【００９２】
多重部３１２は、シンボルマッピング部３１１から受け取る変調信号とパイロット信号とを多重し、多重信号をＦＦＴ部３１３へ出力する。【００９３】
ＦＦＴ部３１３は、多重部３１２から受け取った多重信号に対して高速フーリエ変換処理を施し、高速フーリエ変換処理後の多重信号を周波数マッピング部３１４へ出力する。【００９４】
周波数マッピング部３１４は、ＦＦＴ部３１３から受け取る多重信号を所定の周波数にマッピングし、得られた送信信号をＩＦＦＴ部３１５へ出力する。【００９５】
ＩＦＦＴ部３１５は、周波数マッピング部３１４から受け取る送信信号に対して、逆高速フーリエ変換処理を施すことにより、ＯＦＤＭ信号を形成し、形成したＯＦＤＭ信号を送信無線部３２２へ出力する。【００９６】
送信無線部３２２は、ＩＦＦＴ部３１５から受け取るＯＦＤＭ信号に対して所定の送信無線処理、つまりディジタルアナログ変換、アップコンバート等を施して無線信号を形成し、形成した無線信号をアンテナを介して送信する。【００９７】
［移動通信システムの動作］
以上の構成を有する移動通信システム１の処理動作について説明する。図８は、実施例１の移動通信システムの処理動作の一例を示すシーケンス図である。【００９８】
基地局２０の多重部２０６は、ＰＢＣＨを通知するためのサブフレーム内の時間方向の複数のリソースにＰＳＳ及びＳＳＳをマッピングする（ステップＳ１）。本実施例では、多重部２０６は、ＰＳＳ及びＳＳＳのそれぞれに１つのサブフレーム内の３つの時間方向のリソースを割り当てる。これにより、基地局２０は、ＰＳＳ及びＳＳＳの信号密度を向上させる。【００９９】
さらに、基地局２０の多重部２０６は、自局のＰＳＳに対応する予め決められた位置のサブフレームにＴ−ＥＣＧＩの情報を格納する（ステップＳ２）。また、多重部２０６は、同じサブフレームにＰＢＣＨや参照信号等をマッピングする。【０１００】
そして、基地局２０は、ＰＳＳ、ＳＳＳ及びＰＢＣＨなどがマッピングされたサブフレーム、並びに、Ｔ−ＥＣＧＩの情報が格納されたサブフレームを含むフレームを移動局３０へ送信する（ステップＳ３）。【０１０１】
移動局３０は、自局が在圏する小セルＣ２０のＰＳＳを検出する（ステップＳ４）。すなわち、移動局３０は、セルサーチ部３０５で、受信無線処理後の受信信号に含まれる同期信号に基づいて、当該同期信号に対応するＰＳＳを特定する。なお、特定されるＰＳＳの数は、１つの場合もあれば複数の場合もある。また、セルサーチ部３０５は、ＳＳＳの特定も行う。【０１０２】
そして、移動局３０の小セル識別情報検出部３０４は、セルサーチ部３０５により検出されたＰＳＳに対応する位置にあるサブフレームからＴ−ＥＣＧＩの情報を取得する（ステップＳ５）。【０１０３】
さらに、移動局３０は、取得したＴ−ＥＣＧＩに対応する小セルＣ２０の受信電力の測定を行う（ステップＳ６）。すなわち、移動局３０の通信路状態測定部３０３は、取得したＴ−ＥＣＧＩを有する基地局２０から送信された共通参照信号の受信電力を測定する。【０１０４】
移動局３０は、測定した共通参照信号の受信電力を示す情報及び当該受信電力に対応するＴ−ＥＣＧＩの情報を基地局１０へ送信する（ステップＳ７）。ここで、移動局３０において制御情報処理部３０８は、測定対象の小セルＣ２０が複数在る場合には、測定対象となる全ての小セルＣ２０についての共通参照信号の受信電力とＴ−ＥＣＧＩとを対応づけた状態で基地局１０へ通知してもよい。この他にも、制御情報処理部３０８は、共通参照信号の受信電力が最も大きい小セルＣ２０に対応するＴ−ＥＣＧＩの情報を基地局１０へ通知してもよい。【０１０５】
基地局１０は、受信電力を示す情報と当該受信電力に対応するＴ−ＥＣＧＩの情報とを移動局３０から取得する。そして、基地局１０は、無線リソース制御部１０８により、接続対象のセルを決定する（ステップＳ８）。例えば、無線リソース制御部１０８は、移動局３０から１つのＴ−ＥＣＧＩのみが通知された場合には、そのＴ−ＥＣＧＩを有する基地局２０を接続対象とし、その基地局２０の小セルＣ２０を接続対象のセルとする。また、無線リソース制御部１０８は、移動局３０から複数のＴ−ＥＣＧＩが通知された場合には、その複数のＴ−ＥＣＧＩの中で共通参照信号の受信電力が最も大きいＴ−ＥＣＧＩに対応する基地局２０を接続対象とし、その基地局２０に対応する小セルＣ２０を接続対象のセルとする。【０１０６】
基地局１０は、接続対象のセルとして決定した小セルＣ２０の情報を移動局３０へ通知する（ステップＳ９）。その後、移動局３０は、通知された小セルＣ２０に接続し、通信を行う。【０１０７】
以上に説明したように、本実施例に係る移動通信システムは、信号密度を高めて同期信号を送信し、さらに同期信号に応じた位置のサブフレームに小セルを一意に識別する信号を格納して送信する。これにより、移動局は、同期信号を検出する検出精度を向上させることができ、同期補足を高速に行うことができる。さらに、移動局は、小セルを一意に識別する信号を用いることで、同期を実行する段階で周辺小セルを一意に特定することができ、周辺小セルを高速且つ低消費電力で検出することができる。【０１０８】
また、本実施例に係る移動通信システムでは、小セルの識別情報は、同期信号の種類により振り分られたセルグループ毎に時間的に異なる位置のサブフレームに格納され送信される。さらに、あるセルグループに属する基地局が小セルの識別情報を送信しているタイミングでは、他のセルグループの基地局はフレーム送信のミューティングを行っている。また、クラスタ間でも小セルの識別情報が格納されたサブフレームを送信するタイミングをずらしている。これにより、移動局において小セルの識別情報の受信におけるセル間干渉が低減され、移動局は確実に小セルの識別情報を受信することができる。【０１０９】
（変形例）
以上では、Ｔ−ＥＣＧＩを格納するサブフレームを決定する情報としてＰＳＳを用いたが、この情報は小セルＣ２０の群を識別する情報であれば他の情報を用いてもよい。【０１１０】
例えば、図１におけるクラスタＣＬ４１及びＣＬ４２内をＭ個のセルグループに分ける場合で説明する。ここでは、３種類のＰＳＳを用いつつさらに細かくセルグループを分割する。そこで、先ず、クラスタＣＬ４１及びＣＬ４２をＭ／３のＰＣＩグループに分ける。【０１１１】
次に、作成したＰＣＩグループに含まれる小セルＣ２０を３つのセルグループに分割する。これにより、クラスタＣＬ４１及びＣＬ４２毎にＭ個のセルグループを作成することができる。【０１１２】
例えば、図９は、セルグループのグループ分けの変形例を示す図である。図９は、６（Ｍ＝６）個のセルグループをクラスタＣＬ４１及びＣＬ４２毎に生成する場合である。【０１１３】
まず、図９に示すように、各クラスタ内を２（＝Ｍ／３）個のＰＩＣグループ（図では、「ＰＣＩｇ」と表している。）に分ける。そして、図９におけるＰＣＩｇと等号で結ばれる値はグループの番号を指している。以下では、各ＰＣＩグループを番号を付した名前で呼ぶ。そして、各ＰＣＩグループに含まれる小セルＣ２０は、同じＳＳＳを有するように設定する。これにより、クラスタＣＬ４１は、ＰＣＩグループ１及びＰＣＩグループ２という２つのグループを有する。また、クラスタＣＬ４２は、ＰＣＩグループ３及びＰＣＩグループ４という２つのグループを有する。【０１１４】
さらに、各ＰＣＩグループをＰＳＳで分ける。すなわち、ＰＣＩグループを、ＰＳＳが０の小セルＣ２０のグループ、ＰＳＳが１の小セルＣ２０のグループ及びＰＳＳが２の小セルＣ２０のグループという３つのグループに分割する。【０１１５】
このように分割することで、各クラスタＣＬ４０は、いずれも６つのセルグループを有するようになる。【０１１６】
さらに、本変形例では、ＰＳＳが３種類であることを利用しつつセルグループを分けたが、セルグループの分け方は他の方法でもよい。たとえば、ＰＳＳ及びＳＳＳによって構成されるＰＣＩを用いてセルグループを分けることもできる。その場合、例えば、６つの適当なＰＣＩを用いてセルグループを作成することもできる。このように、ＰＣＩを用いることで、セルグループの作成の自由度を向上させることができる。そして、ＰＣＩをセルグループの分割に用いた場合、移動局３０は、ＰＳＳ及びＳＳＳを検出し、それによりＰＣＩを求めて、その求めたＰＣＩからＴ−ＥＣＧＩが格納されているサブフレームの情報を取得する。【０１１７】
以上のように、本変形例に係る移動通信システムは、クラスタに含まれるセルグループの数を多くすることで、各セルグループに属する小セルを少なくすることができ、同じセルグループに含まれる小セルの距離を離すことができる。すなわち、移動局において同じセルグループ内での小セルの識別情報の受信におけるセル間干渉を低減することができ、移動局は、より確実に小セルの識別情報を取得することができる。【０１１８】
また、本実施例では、小セルの識別情報としてＥＣＧＩ又はＴ−ＥＣＧＩを用いる場合を示したが、他の形態の識別情報を用いることもできる。また、識別情報に加えて他の情報を付随させて送信することもできる。【０１１９】
さらに、他の変形例として、多重部２０６は、ＰＳＳ及びＳＳＳ並びにＥＣＧＩの情報を格納したフレームを送信する際に、ＰＣＩ値に基づいたスクランブルを適用してフレームを暗号化した後に、フレームを送信してもよい。具体的には、多重部２０６は、ＰＣＩ値に基づいたスクランブルとして、セルグループ毎に異なるスクランブルを適用する。【０１２０】
このように、セルグループ毎に異なるスクランブルを適用することで、セルグループが異なる他のセルへの干渉をランダム化することができる。
【実施例２】
【０１２１】
次に、実施例２について説明する。本実施例に係る移動通信システムは、セルグループ毎に重ならない異なる周波数を用いてＴ−ＥＣＧＩを通知することでセル間干渉を低減することが実施例１と異なる。【０１２２】
本実施例に係る移動通信システムは、図１で表される。また、本実施例に係る基地局２０、基地局１０及び移動局３０は、それぞれ、図３、６及び７のブロック図で表される。以下では、基地局２０におけるＴ−ＥＣＧＩの格納方法について主に説明する。【０１２３】
多重部２０６は、自局に割り当てられたＰＳＳ及びＳＳＳの情報を受け取る。そして、多重部２０６は、ＰＳＳ及びＳＳＳを所定のリソースの予め決められた複数の場所にマッピングする。【０１２４】
さらに、多重部２０６は、同期信号を含むサブフレームの次のサブフレームをＴ−ＥＣＧＩを格納するサブフレームとして記憶している。さらに、多重部２０６は、自局のＰＳＳに応じたサブフレーム内のＴ−ＥＣＧＩを格納する周波数帯を記憶している。そして、多重部２０６は、同期信号を含むサブフレームの次のサブフレームの、自局のＰＳＳに対応する周波数帯域にＴ−ＥＣＧＩの情報を格納する。【０１２５】
図１０は、実施例２に係る各セルグループから送信されるフレームを説明するための図である。図１０の横方向は時間方向を表し、縦方向は周波数方向を表している。フレーム６０１は、クラスタＣＬ４１のＰＳＳ＝０のセルグループから送信されるフレームである。また、フレーム６０２は、クラスタＣＬ４１のＰＳＳ＝１のセルグループから送信されるフレームである。また、フレーム６０３は、クラスタＣＬ４１のＰＳＳ＝２のセルグループから送信されるフレームである。さらに、フレーム６１１は、クラスタＣＬ４２のＰＳＳ＝０のセルグループから送信されるフレームである。また、フレーム６１２は、クラスタＣＬ４２のＰＳＳ＝１のセルグループから送信されるフレームである。また、フレーム６１３は、クラスタＣＬ４２のＰＳＳ＝２のセルグループから送信されるフレームである。【０１２６】
図１０に示すように、フレーム６０１〜６０３のそれぞれにおけるＴ−ＥＣＧＩを格納するサブフレームにおいて、各セルグループのＴ−ＥＣＧＩを送信する周波数帯が重ならないように配置されている。【０１２７】
具体的には、フレーム６０１〜６０３のいずれにおいても、ＰＳＳ及びＳＳＳを送信したサブフレームの次のサブフレームにＴ−ＥＣＧＩが格納されている。そして、フレーム６０１では、サブフレームの周波数帯を３分割したうちの最も高い周波数帯６０４を用いてＴ−ＥＣＧＩの情報が送信される。フレーム６０２では、サブフレームの周波数帯を３分割したうちの中間の周波数帯６０５を用いてＴ−ＥＣＧＩの情報が送信される。フレーム６０３では、サブフレームの周波数帯を３分割したうちの最も低い周波数帯６０６を用いてＴ−ＥＣＧＩの情報が送信される。さらに、他のセルグループがＴ−ＥＣＧＩの情報を送信するのに用いる周波数帯において、サブフレーム送信は、ミューティングされている。【０１２８】
このように、周波数帯６０４〜６０６は、周波数が重ならないように決定されており、周波数方向に重ならない。また、あるセルグループが送信するフレームにおいて、Ｔ−ＥＣＧＩを送信するサブフレームにおける他のセルグループがＴ−ＥＣＧＩの情報を送信する周波数帯がミューティングされている。そのため、各セルグループ間のＴ−ＥＣＧＩの情報の送信におけるセルグループ間の干渉を低減することができ、移動局３０は、Ｔ−ＥＣＧＩの情報を確実に取得できる。【０１２９】
無線リソース制御部２０８は、図２の一点鎖線の枠内にある各部に対してＰＢＣＨ、ＰＳＳ及びＳＳＳを含むサブフレームを送信するタイミングを出力する。図２の一点鎖線の枠内にある各部は、無線リソース制御部２０８に指定されたタイミングでＰＢＣＨ、ＰＳＳ及びＳＳＳを含むサブフレームを送信するようにタイミングを調整する。【０１３０】
例えば、図１０の場合で説明する。クラスタＣＬ４１に属する各小セルＣ２０の無線リソース制御部２０８は、バックボーンのネットワークから基準となるタイミングを取得し、サブフレームの送信タイミング６０７を求める。そして、クラスタＣＬ４１に属する各基地局２０の無線リソース制御部２０８は、送信タイミング６０７でＰＢＣＨ、ＰＳＳ及びＳＳＳを含むサブフレームの送信を開始する。【０１３１】
また、クラスタＣＬ４２に属する各基地局２０の無線リソース制御部２０８は、バックボーンのネットワークから基準となるタイミングを取得し、サブフレームの送信タイミング６０７を求める。さらに、クラスタＣＬ４２に属する各基地局２０の無線リソース制御部２０８は、予め決められている時間Ｔ’を送信タイミングに加え、送信タイミング６１４を求める。Ｔ’は、クラスタＣＬ４２の基地局２０によるＴ−ＥＣＧＩの情報を格納したサブフレームの送信タイミングが、クラスタＣＬ４１の基地局２０によるＴ−ＥＣＧＩの情報を格納したサブフレームの送信タイミングと重ならないようにするための時間である。そして、クラスタＣＬ４１に属する各基地局２０の無線リソース制御部２０８は、送信タイミング６１４でＰＢＣＨ、ＰＳＳ及びＳＳＳを含むサブフレームの送信を開始する。【０１３２】
このように、クラスタＣＬ４０毎にＴ−ＥＣＧＩの情報を格納したサブフレームを送信する時間をずらすことで、クラスタＣＬ４０間でのＴ−ＥＣＧＩの情報を格納したサブフレーム同士による干渉を低減することができる。これにより、移動局３０は、Ｔ−ＥＣＧＩの情報を確実に取得できる。【０１３３】
以上に説明したように、本実施例に係る移動通信システムは、同じクラスタにおける異なるセルグループ間で基地局の識別情報を送信する周波数帯を異ならせている。これにより、移動局による基地局の識別情報の受信におけるセル間干渉を低減することができる。したがって、セルグループ間での基地局の識別情報を送信する周波数帯を異ならせることで、移動局は確実に基地局の識別情報を取得することができる。
【実施例３】
【０１３４】
次に、実施例３について説明する。本実施例に係る移動通信システムは、クラスタ毎にＴ−ＥＣＧＩを送信する周波数帯を異ならせ、さらにセルグループ毎に重ならない異なる周波数を用いてＴ−ＥＣＧＩを通知することでセル間干渉を低減している。【０１３５】
本実施例に係る移動通信システムは、図１で表される。また、本実施例に係る基地局２０、基地局１０及び移動局３０は、それぞれ、図３、６及び７のブロック図で表される。以下では、基地局２０におけるＴ−ＥＣＧＩの格納方法について主に説明する。【０１３６】
多重部２０６は、自局に割り当てられたＰＳＳ及びＳＳＳの情報を受け取る。そして、多重部２０６は、ＰＳＳ及びＳＳＳを所定のリソースの予め決められた複数の場所にマッピングする。【０１３７】
さらに、多重部２０６は、同期信号を含むサブフレームの次のサブフレームをＴ−ＥＣＧＩを格納するサブフレームとして記憶している。また、多重部２０６は、自局が属するクラスタＣＬ４１又はＣＬ４２に対応するＴ−ＥＣＧＩの送信に用いる周波数帯を記憶している。ここで、クラスタＣＬ４１又はＣＬ４２に対応するＴ−ＥＣＧＩの送信に用いる周波数帯は、クラスタ毎に異なり互いに重ならない周波数帯である。さらに、多重部２０６は、自局が属するクラスタに割り当てられている周波数帯における自局のＰＳＳに応じたＴ−ＥＣＧＩの送信の周波数帯を記憶している。【０１３８】
そして、多重部２０６は、自局が属するクラスタに割り当てられている周波数帯における自局のＰＳＳに応じたＴ−ＥＣＧＩの送信の周波数帯にＴ−ＥＣＧＩの情報を格納する。【０１３９】
図１１は、実施例３に係る各セルグループから送信されるフレームを説明するための図である。図１１の横方向は時間方向のリソースを表し、縦方向は周波数方向のリソースを表している。フレーム７０１は、クラスタＣＬ４１のＰＳＳ＝０のセルグループから送信されるフレームである。また、フレーム７０２は、クラスタＣＬ４１のＰＳＳ＝１のセルグループから送信されるフレームである。また、フレーム７０３は、クラスタＣＬ４１のＰＳＳ＝２のセルグループから送信されるフレームである。さらに、フレーム７１１は、クラスタＣＬ４２のＰＳＳ＝０のセルグループから送信されるフレームである。また、フレーム７１２は、クラスタＣＬ４２のＰＳＳ＝１のセルグループから送信されるフレームである。また、フレーム７１３は、クラスタＣＬ４２のＰＳＳ＝２のセルグループから送信されるフレームである。【０１４０】
図１１に示すように、フレーム７０１〜７０３及び７１１〜７１３のそれぞれにおけるＴ−ＥＣＧＩを格納するサブフレームにおいて、各セルグループのＴ−ＥＣＧＩを送信する周波数帯が重ならないように配置されている。【０１４１】
具体的には、フレーム７０１〜７０３及び７１１〜７１３のいずれにおいても、ＰＳＳ及びＳＳＳを送信したサブフレームの次のサブフレームにＴ−ＥＣＧＩが格納されている。クラスタＣＬ４１に属する基地局２０が送信するフレームでは、サブフレームにおける上半分の周波数帯域がＴ−ＥＣＧＩを送信するための帯域として割り当てられている。また、クラスタＣＬ４１に属する基地局２０が送信するフレームでは、サブフレームにおける上半分の周波数帯域がＴ−ＥＣＧＩを送信するための帯域として割り当てられている。そして、あるクラスタＣＬ４０に属する基地局２０は、他のクラスタＣＬ４０に属する基地局２０がＴ−ＥＣＧＩを送信するために用いる周波数帯をミューティングする。【０１４２】
例えば、クラスタＣＬ４１に属する基地局２０が送信するフレーム７０１においては、クラスタＣＬ４２に割り当てられた周波数帯７０５がミューティングされている。クラスタＣＬ４２に属する基地局２０が送信するフレーム７１１においては、クラスタＣＬ４１に割り当てられた周波数帯７１５がミューティングされている。【０１４３】
そして、フレーム７０１では、サブフレームの上半分の周波数帯を３分割したうちの最も高い周波数帯７０４を用いてＴ−ＥＣＧＩの情報が送信される。フレーム７０２では、サブフレームの上半分の周波数帯を３分割したうちの中間の周波数帯を用いてＴ−ＥＣＧＩの情報が送信される。フレーム７０３では、サブフレームの上半分の周波数帯を３分割したうちの最も低い周波数帯を用いてＴ−ＥＣＧＩの情報が送信される。さらに、フレーム７０１〜７０３において、他のセルグループがＴ−ＥＣＧＩの情報を送信するのに用いる周波数帯におけるサブフレーム送信は、ミューティングされている。【０１４４】
また、フレーム７１１では、サブフレームの下半分の周波数帯を３分割したうちの最も高い周波数帯７１４を用いてＴ−ＥＣＧＩの情報が送信される。フレーム７１２では、サブフレームの下半分の周波数帯を３分割したうちの中間の周波数帯を用いてＴ−ＥＣＧＩの情報が送信される。フレーム７１３では、サブフレームの下半分の周波数帯を３分割したうちの最も低い周波数帯を用いてＴ−ＥＣＧＩの情報が送信される。さらに、フレーム７１１〜７１３において、他のセルグループがＴ−ＥＣＧＩの情報を送信するのに用いる周波数帯におけるサブフレーム送信は、ミューティングされている。【０１４５】
このように、クラスタＣＬ４１及びＣＬ４２の間で、Ｔ−ＥＣＧＩを送信する周波数帯が重ならないように設定され、且つ、クラスタＣＬ４０内において、セルグループ毎にＴ−ＥＣＧＩを送信する周波数帯が重ならないように決められている。また、あるセルグループが送信するフレームにおいて、同じクラスタＣＬ４０に属する他のセルグループがＴ−ＥＣＧＩの情報を送信する周波数帯及び他のクラスタＣＬ４０の基地局２０がＴ−ＥＣＧＩの情報を送信する周波数帯がミューティングされている。そのため、各クラスタＣＬ４０間及び各セルグループ間のＴ−ＥＣＧＩの情報の送信における干渉を低減することができ、移動局３０は、Ｔ−ＥＣＧＩの情報を確実に取得できる。【０１４６】
無線リソース制御部２０８は、図２の一点鎖線の枠内にある各部に対してＰＢＣＨ、ＰＳＳ及びＳＳＳを含むサブフレームを送信するタイミングを出力する。図２の一点鎖線の枠内にある各部は、無線リソース制御部２０８に指定されたタイミングでＰＢＣＨ、ＰＳＳ及びＳＳＳを含むサブフレームを送信するようにタイミングを調整する。【０１４７】
例えば、図１１の場合で説明する。クラスタＣＬ４１に属する各小セルＣ２０の無線リソース制御部２０８は、バックボーンのネットワークから基準となるタイミングを取得し、サブフレームの送信タイミング７０６を求める。そして、クラスタＣＬ４１に属する各基地局２０の無線リソース制御部２０８は、送信タイミング７０６でＰＢＣＨ、ＰＳＳ及びＳＳＳを含むサブフレームの送信を開始する。また、クラスタＣＬ４２に属する各基地局２０の無線リソース制御部２０８は、送信タイミング７０６でＰＢＣＨ、ＰＳＳ及びＳＳＳを含むサブフレームの送信を開始する。【０１４８】
このように、本実施例では異なるクラスタＣＬ４０の基地局２０が同じ送信タイミング７０６でＴ−ＥＣＧＩの情報を格納したサブフレームを送信することができる。【０１４９】
以上に説明したように、本実施例に係る移動通信システムによれば、クラスタ同士で基地局の識別情報を格納したサブフレームを送信するタイミングが同じでも、基地局の識別情報を格納したサブフレーム同士による干渉を低減することができる。これにより、移動局は、基地局の識別情報を確実に取得できる。【０１５０】
また、同じタイミングで基地局の識別情報が送信されるので、移動局は、複数のクラスタがある場合にも、一時に通信対象とする基地局の特定が行え、より迅速に通信対象とする基地局を特定することができる。【０１５１】
（ハードウェア構成）
各実施例の基地局１０、基地局２０及び移動局３０は、例えば、次のようなハードウェア構成により実現することができる。【０１５２】
図１２は、マクロセルに対応する基地局のハードウェア構成例を示す図である。図１２に示すように、マクロセルＣ１０に対応する基地局８００は、ＲＦ（Radio  Frequency）回路８０１、プロセッサ８０２、メモリ８０３及びネットワークＩＦ（Inter  Face）８０４を有する。プロセッサ８０２の一例としては、ＣＰＵ（Central  Processing  Unit）、ＤＳＰ（Digital  Signal  Processor）、ＦＰＧＡ（Field  Programmable  Gate  Array）等が挙げられる。また、メモリ８０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。【０１５３】
そして、各実施例のマクロセルＣ１０に対応する基地局１０で行われる各種処理機能は、不揮発性記憶媒体などの各種メモリに格納されたプログラムを増幅装置が備えるプロセッサで実行することによって実現してもよい。すなわち、制御部１１によって実行される各処理に対応するプログラムがメモリ８０３に記録され、各プログラムがプロセッサ８０２で実行されてもよい。【０１５４】
なお、ここでは、基地局８００が一体の装置であるものとして説明したが、これに限定されない。例えば、基地局８００は、無線装置と制御装置という２つの別体の装置によって構成されてもよい。この場合、例えば、ＲＦ回路８０１は無線装置に配設され、プロセッサ８０２、メモリ８０３及びネットワークＩＦ８０４は制御装置に配設される。【０１５５】
図１３は、小セルに対応する基地局のハードウェア構成例を示す図である。図１３に示すように、小セルＣ２０に対応する基地局８１０は、ＲＦ回路８１１、プロセッサ８１２、メモリ８１３及びネットワークＩＦ８１４を有する。プロセッサ８１２の一例としては、ＣＰＵ、ＤＳＰ、ＦＰＧＡ等が挙げられる。また、メモリ８１３の一例としては、ＳＤＲＡＭ等のＲＡＭ、ＲＯＭ、フラッシュメモリ等が挙げられる。【０１５６】
そして、各実施例の小セルＣ２０に対応する基地局２０で行われる各種処理機能は、不揮発性記憶媒体などの各種メモリに格納されたプログラムを増幅装置が備えるプロセッサで実行することによって実現してもよい。すなわち、制御部２１によって実行される各処理に対応するプログラムがメモリ８１３に記録され、各プログラムがプロセッサ８１２で実行されてもよい。【０１５７】
なお、ここでは、基地局８１０が一体の装置であるものとして説明したが、これに限定されない。例えば、基地局８１０は、無線装置と制御装置という２つの別体の装置によって構成されてもよい。この場合、例えば、ＲＦ回路８１１は無線装置に配設され、プロセッサ８１２、メモリ８１３及びネットワークＩＦ８１４は制御装置に配設される。【０１５８】
図１４は、移動局のハードウェア構成例を示す図である。図１４に示すように、移動局８２０は、ＲＦ回路８２１、プロセッサ８２２、メモリ８２３、表示部８２４、スピーカ８２５、マイク８２６及び操作部８２７を有する。【０１５９】
プロセッサ８２２の一例としては、ＣＰＵ、ＤＳＰ、ＦＰＧＡ等が挙げられる。また、メモリ８２３の一例としては、ＳＤＲＡＭ等のＲＡＭ、ＲＯＭ、フラッシュメモリ等が挙げられる。【０１６０】
そして、各実施例の移動局３０で行われる各種処理機能は、不揮発性記憶媒体などの各種メモリに格納されたプログラムを増幅装置が備えるプロセッサで実行することによって実現してもよい。すなわち、制御部３１によって実行される各処理に対応するプログラムがメモリ８２３に記録され、各プログラムがプロセッサ８２２で実行されてもよい。また、制御部３１によって実行される各処理は、ベースバンドＣＰＵ及びアプリケーションＣＰＵ等の複数のプロセッサによって分担されて実行されてもよい。また、無線部３２は、ＲＦ回路８２１によって実現される。
【符号の説明】
【０１６１】
１  移動通信システム
１０  基地局
１１  制御部
１２  無線部
２０  基地局
２１  制御部
２２  無線部
３０  移動局
３１  制御部
３２  無線部
１０１  パケット生成部
１０２  ＭＡＣ制御部
１０３  ＭＡＣスケジューリング部
１０４  符号化部
１０５  変調部
１０６  多重部
１０７  ＩＦＦＴ部
１０８  無線リソース制御部
１０９  ＦＦＴ部
１１０  復調部
１１１  復号部
１１２  分離部
２０１  パケット生成部
２０２  ＭＡＣ制御部
２０３  ＭＡＣスケジューリング部
２０４  符号化部
２０５  変調部
２０６  多重部
２０７  ＩＦＦＴ部
２０８  無線リソース制御部
２０９  ＦＦＴ部
２１０  復調部
２１１  復号部
２１２  分離部
３０１  ＦＦＴ部
３０２  制御チャネル復調部
３０３  通信路状態測定部
３０４  小セル識別情報検出部
３０５  セルサーチ部
３０６  復調部
３０７  復号部
３０８  制御情報処理部
３０９  データ処理部
３１０  多重部
３１１  シンボルマッピング部
３１２  多重部
３１３  ＦＦＴ部
３１４  周波数マッピング部
３１５  ＩＦＦＴ部
３２１  受信無線部
３２２  送信無線部
【図１】
2014162568.tif 000003
【図２】
2014162568.tif 000004
【図３】
2014162568.tif 000005
【図４】
2014162568.tif 000006
【図５】
2014162568.tif 000007
【図６】
2014162568.tif 000008
【図７】
2014162568.tif 000009
【図８】
2014162568.tif 000010
【図９】
2014162568.tif 000011
【図１０】
2014162568.tif 000012
【図１１】
2014162568.tif 000013
【図１２】
2014162568.tif 000014
【図１３】
2014162568.tif 000015
【図１４】
2014162568.tif 000016
【国際調査報告】
2014162568.tif 000017
2014162568.tif 000018
2014162568.tif 000019
2014162568.tif 000020